(57)【要約】【課題】  印刷を行うたびに現在の日時が不明つまり長期間記録装置が使用されていなかったという判断のもと、強い回復動作が入ってしまい、ユーザにとってはわずらわしいという問題があった。【解決手段】  メモリーカード内に保存されたＤＰＯＦ（Ｄｉｇｉｔａｌ  Ｐｒｉｎｔ  Ｏｒｄｅｒ  Ｆｏｒｍａｔ）印刷設定ファイルを読み取る手段と、読み取った前記ファイルの更新日からできるだけ最新と思われる日付を記録装置内の不揮発性メモリに記憶する。【選択図】        図１
2006321166.tif 000002
【特許請求の範囲】
【請求項１】
パーソナルコンピュータ等の情報処理装置や、デジタルカメラ等の情報処理装置以外のデバイスとインタフェースを介して接続され、またメモリーカード等の記憶媒体を記録装置のアダプタ部に直接接続することのできる記録装置において、前記記録装置が前記情報処理装置以外のデバイスまたはメモリーカード等の記憶媒体内に保存されたＤＰＯＦ印刷設定ファイル、または画像ファイルを読み取ることを特徴とする記録装置。
【請求項２】
前記ＤＰＯＦ設定ファイルの更新日時を読み取り、前記記録装置内部の不揮発性メモリに格納されている日時と比較し、ＤＰＯＦ設定ファイルの更新日時のほうが新しかった場合、その日時を前記記録装置の最新の日時として不揮発性メモリ内に記憶することを特徴とする請求項１記載の記録装置。
【発明の詳細な説明】
【技術分野】
【０００１】
本発明は、デジタルカメラなどの撮像装置、撮像装置と記録装置とを有するシステム及びその制御方法に関するものである。
【背景技術】
【０００２】
近年、デジタルカメラが広く使用されるようになってきている。このようなカメラで撮影した画像を印刷する場合には、その撮影したデジタル画像データを、デジタルカメラからＰＣ等の情報処理装置に取り込み、画像処理を行った後、そのＰＣからカラープリンタに出力して印刷するのが一般的である。
【０００３】
しかし、これに対して最近ではＰＣを介することなく、直接デジタルカメラ等のデバイスからカラープリンタにデジタル画像データを伝送して印刷することができるプリントシステムや、デジタルカメラに搭載され、撮像した画像を記憶しているメモリーカードを直接カラープリンタに装着し、そのメモリーカードに記憶されている画像を印刷できるプリンタも開発されている（例えば、特許文献１参照。）。
【特許文献１】特開２００２−２３７９７４号公報
【発明の開示】
【発明が解決しようとする課題】
【０００４】
しかし、このようなフォトダイレクト機能を持ったカラープリンタであっても従来の記録装置のようにＰＣ等の情報処理装置と接続されるということが多い。ユーザによってはＰＣ等の情報処理装置を持たずデジタルカメラや、それら撮像装置等に装着されてその撮影した画像を保存するメモリーカードからのみ印刷することがある。
【０００５】
通常、プリンタ等の記録装置はＰＣ等情報処理装置と接続された場合、その情報処理装置から現在の時刻を取得し、記録装置内部のタイマーをカウントしプリントヘッドの回復動作等に利用している。この場合もしＰＣ等情報処理装置を持たない、もしくは持っていたとしてもそれと記録装置とを接続しないユーザがデジタルカメラ等のデバイスから、もしくは画像の記憶されているメモリーカード等から直接印刷を行おうとした場合、記憶装置には初期値としての日時しか記憶されていないため、印刷を行うたびに現在の日時が不明つまり長期間記録装置が使用されていなかったという判断のもと、強い回復動作が入ってしまい、ユーザにとってはわずらわしいという問題があった。
【０００６】
本発明は、上記問題に鑑みてなされたものであり、ＰＣ等情報処理装置と接続をしなくても容易に日時を取得することができ、ＰＣ等の情報処理装置を持たない、もしくは持っていたとしてもそれと記録装置とを接続しないユーザがデジタルカメラやメモリーカードから直接印刷するときに強い回復動作が入ることを回避し記録装置がユーザにとってわずらわしい動作をしないようにすることができる記録装置を提供することを目的とする。
【課題を解決するための手段】
【０００７】
上記目的を達成するために、本発明のシステムは以下（１）の構成を備える。
【０００８】
（１）パーソナルコンピュータ等の情報処理装置や、デジタルカメラ等の情報処理装置以外のデバイスとインタフェースを介して接続され、またメモリーカード等の記憶媒体を記録装置のアダプタ部に直接接続することのできる記録装置において、前記記録装置が前記情報処理装置以外のデバイスまたはメモリーカード等の記憶媒体内に保存されたＤＰＯＦ印刷設定ファイル、または画像ファイルを読み取る記録装置。
【０００９】
すなわち、撮像した画像信号を出力する撮像装置もしくはメモリーカード等の記録媒体と記録装置とをインタフェースを介して接続したシステムであって、記録装置は撮像装置で設定されたもしくはメモリーカード内に保存されたＤＰＯＦ（Ｄｉｇｉｔａｌ  Ｐｒｉｎｔ  Ｏｒｄｅｒ  Ｆｏｒｍａｔ）印刷設定ファイルを読み取る手段と、読み取った前記ファイルの更新日からできるだけ最新と思われる日付を記録装置内の不揮発性メモリに記憶する手段とを有することを特徴とする。
【発明の効果】
【００１０】
本発明によればＰＣ等の情報処理装置を持たない、もしくは持っていたとしてもそれと記録装置とを接続しないユーザがデジタルカメラやメモリーカードから直接印刷するときに、デバイス内にあるメモリや、記憶媒体に保存されていたＤＰＯＦファイルの最終更新日を読み取ることで、ＰＣ等の情報処理装置との接続していなくて正確な現在時刻を取得できない状況下でも、できるだけ印刷を行う日時に近い日時を得ることができ、日付不確定などの要因による極端な回復等の動作が入ることを回避しユーザを煩わせることを少なくすることが可能である。
【発明を実施するための最良の形態】
【００１１】
以下、添付図面を参照して本発明に最適と思える実施の形態を、詳細に説明する。
【実施例】
【００１２】
図１は、本発明の実施の形態に係る記録装置を含んだ印刷システムの構成を示す。図１において、プリンタ部１−（１）、ＣＰＵ１−（２）、ＲＯＭ１−（３）、ＲＡＭ１−（４）、不揮発性メモリ１−（５）、プリンタのインタフェース部１−（６）、プリンタ制御部１−（７）、各種モータドライバ制御部１−（８）、各種センサ制御部１−（９）、ヘッドドライバ１−（１０）、ヘッド１−（１１）、電源スイッチ１−（１２）は、記録装置の構成部を示している。記憶媒体１−（１３）と、インタフェース部１−（１４）はメモリーカード等の記憶媒体の構成部を示し、また、１−（１５）は記録装置に接続される、パーソナルコンピュータ等の記録装置を制御する情報処理装置以外の例えばデジタルカメラ等のデバイスを示し、１−（１６）はデバイス内の記憶媒体、１−（１７）はデバイスの入力・表示手段、１−（１８）はデバイスのインタフェース部、をそれぞれ示す。
【００１３】
前記のメモリーカード等の記憶媒体、記録装置、記録装置を制御する情報処理装置以外のデバイスは、それぞれ、１−（ａ）、１−（ｂ）で示されるアダプタまたはインタフェースケーブルで接続される。
【００１４】
図１において１−（２）は各種処理を統括する中央演算処理装置（ＣＰＵ）、１−（３）はプログラムやあらかじめセットされた所定のデータ等を格納するＲＯＭ、１−（４）は演算処理中のデータを一時的に保存するＲＡＭをそれぞれ示している。１−（６）、１−（１４）、１−（１８）は各装置の情報をやり取りするためのインタフェース部である。
【００１５】
図２は印刷装置に接続されたデジタルカメラ等のデバイスやメモリーカード等の記憶媒体からＤＰＯＦによる印刷のリクエストが来た場合の時刻取得処理を示すフローチャートである。
【００１６】
まずステップＳ２０１でデバイス接続処理が行われ、接続が確立しステップＳ２０２でＤＰＯＦ印刷のリクエストが来たら、ステップＳ２０３においてＤＰＯＦファイルがその接続されたデバイス内のメモリ、もしくは記憶媒体自体に存在するかどうかをＣＰＵ１−（２）が確認し、もし存在していないと判断した場合は、本処理を終了する。
【００１７】
一方、ステップＳ２０３においてＤＰＯＦファイルの存在が確認された場合は、ステップＳ２０４においてそのファイルの最終更新日時を読み出しＲＡＭ１−（４）に格納する。そしてステップＳ２０５において不揮発性メモリ１−（５）に格納されているプリンタの持っている日時と比較をし、もしＤＰＯＦファイルの更新日時のほうが古ければ、本処理を終了する。
【００１８】
ステップＳ２０５において、ＤＰＯＦファイルの更新日時のほうが新しければ、ステップＳ２０６において、それをプリンタの最新日時として不揮発性メモリ１−（５）へ記憶し、本処理を終了する。
【００１９】
このように上記に示されるように印刷を目的として記録装置に接続されたデバイス内にあるメモリや、記憶媒体に保存されていたＤＰＯＦファイルの最終更新日を読み取ることで、ＰＣ等の情報処理装置との接続していなくて正確な現在時刻を取得できない状況下でも、できるだけ印刷を行う日時に近い日時を得ることができる。
【図面の簡単な説明】
【００２０】
【図１】本発明の実施の形態に係る記録装置を含んだ印刷システムの構成を示す図
【図２】印刷装置に接続されたデジタルカメラ等のデバイスやメモリーカード等の記憶媒体からＤＰＯＦによる印刷のリクエストが来た場合の時刻取得処理を示すフローチャート
【符号の説明】
【００２１】
１−（１）  プリンタ部
１−（２）  ＣＰＵ
１−（３）  ＲＯＭ
１−（４）  ＲＡＭ
１−（５）  不揮発性メモリ
１−（６）  プリンタのインタフェース部
１−（７）  プリンタ制御部
１−（８）  各種モータドライバ制御部
１−（９）  各種センサ制御部
１−（１０）ヘッドドライバ
１−（１１）ヘッド
１−（１２）電源スイッチ
１−（１３）記憶媒体
１−（１４）記憶媒体のインタフェース部
１−（１５）デジタルカメラ等のデバイス
１−（１６）デバイス内の記憶媒体
１−（１７）デバイスの入力・表示手段
１−（１８）デバイスのインタフェース部
１−（ａ）  記憶媒体と記録装置の接続アダプタ部
１−（ｂ）  デバイスと記録装置を接続するインタフェースケーブル
【図１】
2006321166.tif 000003
【図２】
2006321166.tif 000004